【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
追跡システムであって、
問い合わせアンテナを備えるタグリーダと、
１つまたは複数のタグとを備え、前記１つまたは複数のタグは、
環境エネルギーを電気エネルギーに変換するように構成された電気エネルギー生成器、
無線周波数（ＲＦ）通信回路、および
前記ＲＦ通信回路を使用してデータ信号を前記タグリーダに送信するために、前記電気エネルギー生成器によって生成された電気エネルギーを使用するように構成されているコントローラを備える、追跡システム。
【請求項２】
前記タグリーダは、ワイヤレスネットワークインターフェースをさらに備えることができ、前記追跡システムは、
前記タグリーダの前記ワイヤレスネットワークインターフェースからデータを受信するように構成された受信サーバをさらに備え、前記受信したデータは、前記タグからの前記データ信号と関連付けられる情報を含む、請求項１に記載の追跡システム。
【請求項３】
前記受信したデータを格納するように構成されたデータベースをさらに備える、請求項２に記載の追跡システム。
【請求項４】
前記受信サーバは、前記タグリーダに要求を送信するように構成され、前記要求に応答して前記データが受信される、請求項２または３に記載の追跡システム。
【請求項５】
前記ワイヤレスネットワークインターフェースは、セルラインターフェース、衛星インターフェース、Ｗｉ−Ｆｉインターフェース、または８０２．１１インターフェースである、請求項２〜４のいずれか一項に記載の追跡システム。
【請求項６】
前記タグは、前記電気エネルギー生成器によって供給される電気エネルギーを貯蔵し、前記コントローラおよび前記ＲＦ通信回路による使用のために前記貯蔵された電気エネルギーを供給するように構成されるエネルギー貯蔵装置をさらに備える、請求項１〜５のいずれか一項に記載の追跡システム。
【請求項７】
前記データ信号は、前記タグの一意の識別子を含む、請求項１〜６のいずれか一項に記載の追跡システム。
【請求項８】
前記タグの前記ＲＦ通信回路は送受信機であり、前記タグリーダは問い合わせ信号を前記タグリーダに送信するように構成され、さらに前記タグは、前記問い合わせ信号に応答して前記データ信号を前記タグリーダに送信するように構成されている、請求項１〜７のいずれか一項に記載の追跡システム。
【請求項９】
前記タグは、前記問い合わせ信号から前記電気エネルギーを生成して前記ＲＦ通信回路および前記コントローラに電力を供給するようにさらに構成されている、請求項８に記載の追跡システム。
【請求項１０】
前記電気エネルギー生成器は、
機械−電気エネルギー変換器、
熱電発電器、
太陽光電気生成器、
圧電発電器、および
ＲＦ発電器
のうちのいずれか１つまたは複数である、請求項１〜９のいずれか一項に記載の追跡システム。
【請求項１１】
タグであって、
環境エネルギーを電気エネルギーに変換するように構成された電気エネルギー生成器、
無線周波数（ＲＦ）通信回路、および
前記ＲＦ通信回路を使用してデータ信号をタグリーダに送信するために、前記電気エネルギー生成器によって生成された電気エネルギーを使用するように構成されているコントローラ
を備える、タグ。
【請求項１２】
前記電気エネルギー生成器によって供給される電気エネルギーを貯蔵し、前記コントローラおよび前記ＲＦ通信回路による使用のために前記貯蔵された電気エネルギーを供給するように構成されるエネルギー貯蔵装置をさらに備える、請求項１１に記載のタグ。
【請求項１３】
前記エネルギー貯蔵装置は、キャパシタまたは二次電池である、請求項１２に記載のタグ。
【請求項１４】
１つまたは複数のセンサをさらに備え、前記コントローラは、前記１つまたは複数のセンサによって生成されたデータを前記データ信号に含めるようにさらに構成される、請求項１１〜１３のいずれか一項に記載のタグ。
【請求項１５】
前記１つまたは複数のセンサによって生成されたデータを格納するように構成されたメモリストアをさらに備える、請求項１４に記載のタグ。
【請求項１６】
前記１つまたは複数のセンサは、湿度、振動、変位、運動、ジャイロスコープ、加速度、ＧＰＳ、温度、光または音のうちの１つまたは複数を測定する、請求項１４または１５に記載のタグ。
【請求項１７】
前記コントローラは、電気回路、マイクロプロセッサ、および／またはコンピュータソフトウェアまたはファームウェアを含む、請求項１１〜１６のいずれか一項に記載のタグ。
【請求項１８】
前記通信回路は送受信機であり、前記コントローラは、前記タグリーダから問い合わせ信号を受信し、前記問い合わせ信号に応答して前記タグリーダに前記データ信号を送信するようにさらに構成されている、請求項１１〜１６のいずれか一項に記載のタグ。
【請求項１９】
前記ＲＦ通信回路に電気的に接続されたアンテナをさらに備える、請求項１１〜１８のいずれか一項に記載のタグ。
【請求項２０】
前記アンテナによって受信された信号を、前記ＲＦ通信回路および前記コントローラに給電するための電気エネルギーに変換するように構成された電気回路をさらに備える、請求項１９に記載のタグ。
【請求項２１】
前記コントローラは、断続的に前記ＲＦ通信回路に電力を供給するようにさらに構成されている、請求項１１〜２０のいずれか一項に記載のタグ。
【請求項２２】
前記電気エネルギー生成器は、
機械−電気エネルギー変換器、
熱電発電器、
太陽光電気生成器、
圧電発電器、および
ＲＦ発電器
を含む任意の１つまたは複数の発電要素である、請求項１１〜２１のいずれか一項に記載のタグ。
【請求項２３】
前記１つまたは複数の発電要素の任意の１つまたは複数によって生成される前記電気エネルギーを管理するように構成された制御回路をさらに備える、請求項２２に記載のタグ。
【請求項２４】
筐体をさらに備える、請求項１１〜２３のいずれか一項に記載のタグ。
【請求項２５】
前記筐体は、耐候性、防塵性、耐溶剤性、および／または耐熱性もしくは耐寒性がある、請求項２４に記載のタグ。
【請求項２６】
ＲＦ−ＤＣ変換回路をさらに備える、請求項１１〜２５のいずれか一項に記載のタグ。
【請求項２７】
前記電気エネルギー生成器から取得したデータを記録するようにさらに構成されている、請求項１１〜２６のいずれか一項に記載のタグ。
【請求項２８】
前記電気エネルギー生成器から取得されるデータを格納するように構成されたメモリストアをさらに備える、請求項２７に記載のタグ。
【請求項２９】
環境エネルギーを電気エネルギーに変換するように構成された電気エネルギー生成器と、無線周波数（ＲＦ）通信回路とを有するタグを動作させるための方法であって、
前記ＲＦ通信回路を使用してタグリーダにデータ信号を送信するために、前記電気エネルギー生成器によって生成された電気エネルギーを使用するステップ
を含む、方法。
【請求項３０】
前記データ信号は前記タグの識別子を含む、請求項２９に記載の方法。
【請求項３１】
前記タグの前記電気エネルギー生成器からデータを取得するステップと、
前記取得されたデータを含む、前記データ信号を前記タグリーダに送信する前に、前記データを記憶するステップと
をさらに含む、請求項２９または３０に記載の方法。
【請求項３２】
前記取得されたデータは、
前記電気エネルギーが前記電気エネルギー生成器によって生成されていた期間、
前記電気エネルギー生成器によって生成される電力レベル、
前記電気エネルギー生成器が発電を行っていた回数、および
前記電気エネルギー生成器が１つまたは複数の閾値電力レベルに達した回数
のうちのいずれか１つまたは複数を示す、請求項３１に記載の方法。
【請求項３３】
前記取得されたデータに基づいて、前記タグに取り付けられている構成要素のサイクル数、動作回数、動作時間、サービス間隔、航空機フライト数、および異常動作特性のうちのいずれか１つまたは複数を判定するステップをさらに含む、請求項３１または３２に記載の方法。
【請求項３４】
前記判定するステップは、前記取得されたデータ内の複数のデータアイテムを分析して、前記複数のデータアイテムによって定義される、繰り返される一連のイベントを判定するステップをさらに含む、請求項３３に記載の方法。
【請求項３５】
前記タグは、航空機、エンジン、電源装置、補助電源装置、逆推力装置、および着陸装置のうちのいずれかに取り付けられる、請求項３３または３４に記載の方法。
【手続補正２】
【補正対象書類名】明細書
【補正対象項目名】００１３
【補正方法】変更
【補正の内容】
【００１３】
好ましくは、追跡システムは、受信したデータを格納するように構成されたデータベースをさらに備えることができる。データベースは、中央に位置してもよく（例えば、物理サーバ）、クラウドに基づいてもよく、またはロケーション間で分割されてもよい（例えば、リーダおよびサーバに対してローカル）。
【手続補正３】
【補正対象書類名】明細書
【補正対象項目名】００３８
【補正方法】変更
【補正の内容】
【００３８】
さらなる態様によれば、少なくとも２つの異なるエネルギー源を使用するタグが提供される。これらのエネルギー源（電力を生成するために使用される）は、太陽、機械（音響、振動、熱、任意の１つまたは複数の次元における並進を含む）、電磁気、無線周波数、電池またはキャパシタのうちの２つ以上から選択することができる。このようなタグは、（例えば、ソースが利用可能になるときに自動的に、および／または、過電力事象および過少電力イベントから保護するために）エネルギー源を選択的に切り替えることができる。エネルギー源は、併合されてもよく、貯蔵されてもよく、または生成されるときに使用されてもよい。少なくとも２つのエネルギー源が、コントローラおよびＲＦ送信機または送受信機に電力を供給するために使用される。タグは、本明細書中で他のタグに関して説明したのと同じまたは類似の方法で、問い合わせ信号に応答し、および／または、間隔を置いてデータ信号を提供するために使用されてもよい。タグは、本明細書に記載されている任意のまたはすべてのタグリーダと共に使用することができる。
【手続補正４】
【補正対象書類名】明細書
【補正対象項目名】００４０
【補正方法】変更
【補正の内容】
【００４０】
さらなる態様によれば、追跡システムであって、
問い合わせアンテナを備えるタグリーダと、
１つまたは複数のタグ（例えば、１つまたは複数の電子タグまたは無線周波数識別（ＲＦＩＤ）タグ）であり、
電気エネルギーを生成するように構成された無線周波数（ＲＦ）−電気エネルギー変換器、
無線周波数（ＲＦ）通信回路、および
ＲＦ通信回路を使用してデータ信号をタグリーダ（例えば、ＲＦＩＤタグリーダ）に送信するために、ＲＦエネルギー変換器によって生成された電気エネルギーを使用するように構成されているコントローラ
を備える、１つまたは複数のタグと、
を備える、追跡システムが提供される。追加の電気エネルギーが、機械−電気エネルギー変換器および／または太陽エネルギー変換器（例えば、光電池）を使用することによって提供されてもよい。追跡システムは、タグリーダのワイヤレスネットワークインターフェースからデータを受信するように構成された受信サーバをさらに備えることができ、受信データは、タグからのデータ信号（または問い合わせ信号への応答）と関連付けられる情報を含む。サーバは、本明細書全体を通じて説明されている他の受信サーバの機能の一部または全部を有することができる。
【手続補正５】
【補正対象書類名】明細書
【補正対象項目名】００４１
【補正方法】変更
【補正の内容】
【００４１】
さらなる態様によれば、タグであって、
電気エネルギーを生成するように構成された無線周波数（ＲＦ）−電気エネルギー変換器と、
無線周波数（ＲＦ）通信回路と、
ＲＦ通信回路を使用してタグリーダにデータ信号を送信するために、発電器によって生成された電気エネルギーを使用するように構成されたコントローラと、
を備える、タグが提供される。追加の電気エネルギーが、機械−電気エネルギー変換器および／または太陽エネルギー変換器（例えば、光電池）を使用することによって提供されてもよい。さらに、タグは、温度勾配からエネルギーを収集するために低電力センサで備えることができ、このエネルギーは、タグによって検出または監視されるイベント（例えば、問い合わせ、データの変更など）を記憶するために蓄積することができる。
【手続補正６】
【補正対象書類名】明細書
【補正対象項目名】００４７
【補正方法】変更
【補正の内容】
【００４７】
任意選択的に、取得されたデータは、
電気エネルギーが電気エネルギー生成器によって生成されていた期間、
電気エネルギー生成器によって生成される電力レベル、
電気エネルギー生成器が発電を行っていた回数、および
電気エネルギー生成器が１つまたは複数の閾値電力レベルに達した回数
のうちのいずれか１つまたは複数を示すことができる。発電器によって取得されるデータ（単に電力が生成されていた量、時間、および／またはレベルであってもよい）は、タグの環境に関する特性を示すことができる。発電器は、各々が異なる環境特性に基づいて電力を生成するいくつかの構成要素を含むことができる。これらの構成要素の２つ以上によって生成される相対的な電力レベルはまた、特性または活動を記述するために解釈することができるデータを提供することもできる。例えば、熱電発電器が経験する温度勾配は、アイテムの温度を示すことができ、機械−電気発電器から電力を生成するために使用される振動レベルは、アイテムがどれくらい使用されているか（例えば、エンジンおよびエンジン出力）を示すことができる。特定の基準または電力レベル（または電力レベルの組み合わせ）が検出される場合のみ、データ自体を記録する（すなわち、限られたメモリ空間を節約するために）こともできる。
【手続補正７】
【補正対象書類名】明細書
【補正対象項目名】０１６０
【補正方法】変更
【補正の内容】
【０１６０】
例えば、他の機械−電気発電器（例えば、フライホイールまたはばねベース）を使用することができる。リアルタイム処理またはデータが、オンデマンドで要求され得る。スーパーＳＭＤキャパシタが、急速充電および給電に使用され得る。拡張可能なオプションのメモリが使用されてもよい。等方性アンテナが、タグおよび／またはリーダ上で使用されてもよい。コマンドが、制御された放出信号を介してリーダからタグに送信され得る。タグ内の報告および監視は、オンデマンドで自動的に実行されてもよい。データは、タグリーダから各タグに対して読み書きすることができる。特定のまたは調整されたエネルギー量が、振動および／または音響波長レベルを用いて収集され得る。さらに、太陽エネルギーをタグに給電するために使用することができる。これらの電源は、ＡＣ／ＤＣおよび／またはＤＣ／ＤＣモジュールおよび／またはバック変換器を使用して、キャパシタまたはスーパーキャパシタまたは電池を充電するために調整することができる。